(57)【要約】【課題】  少ない画像データ記憶領域で多くのパターン画像を出力することが可能な画像処理装置を提供する。【解決手段】  カラー画像データを記憶する画像データ記憶手段と、カラー画像データのうち、任意色をマスクする色マスク手段と、該画像データを出力用紙上に出力する印刷手段と、複数のパターンが別色で描かれたカラー画像データを具備し、画像出力時に、該カラー画像データに対して該色マスク手段で、不必要なパターンの色をマスクする。【選択図】  図１８
2008153763.tif 000002
【特許請求の範囲】
【請求項１】
カラー画像データを記憶する画像データ記憶手段と、
該カラー画像データのうち、任意色をマスクする色マスク手段と、
該画像データを出力用紙上に出力する印刷手段と、
複数のパターンが別色で描かれたカラー画像データを具備し、
画像出力時に、該カラー画像データに対して該色マスク手段で、不必要なパターンの色をマスクすることを特徴とする画像処理装置。
【請求項２】
請求項１の画像処理装置において、
表裏を識別するためのパターンが任意色で描かれたカラー画像データを具備し、
両面モード時に片面において該カラー画像データを該色マスク手段で任意色をマスクすることを特徴とする画像処理装置。
【請求項３】
請求項１、２に記載の画像処理方法を実行することを特徴とするプログラム。
【請求項４】
請求項３に記載のプログラムを格納するコンピュータ可読の記憶媒体。
【発明の詳細な説明】
【技術分野】
【０００１】
本発明は、入力画像に所定の処理を施して出力する画像処理装置、記憶媒体、及びプログラムに関する。
【背景技術】
【０００２】
カラー複写機等の印刷装置では、両面プリント時の表面・裏面それぞれのレジ誤差、斜行、倍率などの調整するために、調整をするためのテストチャートを出力し、出力結果から補正量を計測し、補正値を機器に設定することで、機体毎の微調整を行う機能がある。
【０００３】
従来例としては、例えば特許文献１をあげることが出来る。
【特許文献１】特開2006-72075号公報
【発明の開示】
【発明が解決しようとする課題】
【０００４】
両面印字での表面裏面独立調整を行う場合、同じ画像を表面と裏面に出力すると、出力結果の表面と裏面をユーザが認識することができず、混乱するという問題があった。
【０００５】
しかし、機器内に持てる画像にはリソースに限りがあるため、予め表面用・裏面用別々の画像をもつことが困難であった。
【０００６】
しかし、表面裏面を認識させる記号（ページ番号）などを合成することで識別できるようにすると、画像データの処理が複雑化し、圧縮における複合化・符号化処理も余計にかかるため、ドット単位での調整を行う上記レジ調整用には不向きな画像となってしまう。
【０００７】
更に、レジ調整、斜行調整などは近似したテストパターンを出力して調整するが、機器内に持てる画像にはリソースに限りがあるため、それぞれ別々の画像をもつことが困難であった。
【０００８】
本発明は、上述した問題点を解決するためのものであり、少ない画像データ記憶領域で多くのパターン画像を出力することが可能な画像処理装置、画像処理方法、記憶媒体、及びプログラムを提供することを目的とする。
【課題を解決するための手段】
【０００９】
上記目的を達成するために、本発明の画像処理装置は、カラー画像データを記憶する画像データ記憶手段と、該カラー画像データのうち、任意色をマスクする色マスク手段と、該画像データを出力用紙上に出力する印刷手段と、複数のパターンが別色で描かれたカラー画像データを具備し、画像出力時に、該カラー画像データに対して該色マスク手段で、不必要なパターンの色をマスクすることを特徴とする。
【００１０】
また、上記目的を達成するために、本発明の画像処理装置は、上記画像処理装置において、表裏を識別するためのパターンが任意色で描かれたカラー画像データを具備し、両面モード時に片面において該カラー画像データを該色マスク手段で任意色をマスクすることを特徴とする。
【発明の効果】
【００１１】
以上説明してきたように、本発明は、複数パターンをそれぞれ別の色で描画するデータを持ち、任意色をマスクして出力することで、少ない画像データ記憶領域で多くのパターン画像を出力ことが可能である。
【発明を実施するための最良の形態】
【００１２】
以下、図面を参照して本発明の実施の形態を説明する。
【００１３】
本実施形態に係る画像入出力システムの全体構成を、図１を参照しながら説明する。
【００１４】
リーダー部（画像入力装置）２００は、原稿画像を光学的に読み取り、画像データに変換する。リーダー部２００は、原稿を読み取るための機能を持つスキャナユニット２１０と、原稿用紙を搬送するための機能を持つ原稿給紙ユニット２５０とで構成される。リーダー部では原稿サイズを検知して、制御装置１１０に検知サイズを通知することが可能である。
【００１５】
プリンタ部（画像出力装置）３００は、記録紙を搬送し、その上に画像データを可視画像として印字して装置外に排紙する。プリンタ部３００は、複数種類の記録紙カセットを持つ給紙ユニット３１０と、画像データを記録紙に転写、定着させる機能を持つマーキングユニット３２０と、印字された記録紙をソート、ステイプルして機外へ出力する機能を持つ排紙ユニット３３０とで構成される。
【００１６】
制御装置１１０は、リーダー部２００、プリンタ部３００と電気的に接続され、さらにネットワーク４００を介して、ホストコンピュータ４０１，４０２と接続されている。
【００１７】
制御装置１１０は、リーダー部２００を制御して、原稿の画像データを読み込み、プリンタ部３００を制御して画像データを記録用紙に出力してコピー機能を提供する。また、リーダー部２００から読み取った画像データを、コードデータに変換し、ネットワーク４００を介してホストコンピュータへ送信するスキャナ機能、ホストコンピュータからネットワーク４００を介して受信したコードデータを画像データに変換し、プリンタ部３００に出力するプリンタ機能を提供する。
【００１８】
操作部１５０は、制御装置１１０に接続され、液晶タッチパネルで構成され、画像入出力システムを操作するためのユーザＩ／Ｆを提供する。
【００１９】
図２はリーダー部２００及びプリンタ部３００の概観図である。リーダー部の原稿給送ユニット２５０は原稿を先頭順に１枚ずつプラテンガラス２１１上へ給送し、原稿の読み取り動作終了後、プラテンガラス２１１上の原稿を排出するものである。原稿がプラテンガラス２１１上に搬送されると、ランプ２１２を点灯し、そして光学ユニット２１３の移動を開始させて、原稿を露光走査する。この
時の原稿からの反射光は、ミラー２１４、２１５、２１６及びレンズ２１７によってＣＣＤイメージセンサ（以下ＣＣＤという）２１８へ導かれる。このように、走査された原稿の画像はＣＣＤ２１８によって読み取られる。
【００２０】
２２２はリーダー画像処理回路部であり、ＣＣＤ２１８から出力される画像データに所定の処理を施し、スキャナＩ／Ｆ１４０を介して制御装置１１０へと出力するところである。
【００２１】
３５２はプリンタ画像処理回路部であり、プリンタＩ／Ｆ１４５を介して制御装置１１０から送られる画像信号をレーザドライバへと出力するところである。
【００２２】
プリンタ部３００のレーザドライバ３１７はレーザ発光部３１３、３１４、３１５、３１６を駆動するものであり、プリンタ画像処理部３５２から出力された画像データに応じたレーザ光をレーザ発光部３１３、３１４、３１５、３１６を発光させる。このレーザ光はミラー３４０、３４１、３４２、３４３、３４４、３４５、３４６、３４７、３４８、３４９、３５０、３５１によって感光ドラム３２５、３２６、３２７、３２８に照射され、感光ドラム３２５、３２６、３２７、３２８にはレーザ光に応じた潜像が形成される。３２１、３２２、３２３、３２４は、それぞれブラック（Ｂｋ）、イエロー（Ｙ）、シアン（Ｃ）、マゼンダ（Ｍ）のトナーによって、潜像を現像するための現像器であり、現像された各色のトナーは、用紙に転写されフルカラーのプリントアウトがなされる。
【００２３】
用紙カセット３６０、３６１及び手差しトレイ３６２のいずれかより、レーザ光の照射開始と同期したタイミングで給紙された用紙は、レジストローラ３３３を経て、転写ベルト３３４上に吸着され、搬送される。そして、感光ドラム３２５、３２６、３２７、３２８に付着された現像剤を記録紙に転写する。現像剤の乗った記録紙は定着部３３５に搬送され、定着部３３５の熱と圧力により現像剤は記像紙に定着される。定着部３３５を通過した記録紙は排出ローラ３３６によって排出され、排紙ユニット３７０は排出された記録紙を束ねて記録紙の仕分けをしたり、仕分けされた記録紙のステイプルを行う。
【００２４】
また、両面記録が設定されている場合は、排出ローラ３３６のところまで記録紙を搬送した後、排出ローラ３３６の回転方向を逆転させ、フラッパ３３７によって再給紙搬送路３３８へ導く。再給紙搬送路３３８へ導かれた記録紙は上述したタイミングで転写ベルト３３４へ給紙される。
【００２５】
＜リーダー画像処理部の説明＞
図３は、リーダー画像処理部２２２の詳細な構成を示すブロック図である。このリーダー画像処理部２２２では、プラテンガラス２１１上の原稿はＣＣＤ２１８に読み取られて電気信号に変換される（ＣＣＤ２１８はカラーセンサの場合、ＲＧＢのカラーフィルタが１ラインＣＣＤ上にＲＧＢ順にインラインに乗ったものでも、３ラインＣＣＤで、それぞれＲフィルタ・Ｇフィルタ・ＢフィルタをそれぞれのＣＣＤごとに並べたものでも構わないし、フィルタがオンチップ化又は
、フィルタがＣＣＤと別構成になったものでも構わない）。そして、その電気信号（アナログ画像信号）は画像処理部２２２に入力され、クランプ＆Ａｍｐ．＆Ｓ／Ｈ＆Ａ／Ｄ部３０１でサンプルホールド（Ｓ／Ｈ）され、アナログ画像信号のダークレベルを基準電位にクランプし、所定量に増幅され（上記処理順番は表記順とは限らない）、Ａ／Ｄ変換されて、例えばＲＧＢ各８ビットのディジタル信号に変換される。そして、ＲＧＢ信号はシェーディング部３０２で、シェーディング補正及び黒補正が施された後、制御装置１１０へと出力される。
【００２６】
ここで、このリーダー装置は、検知した原稿以外の部分における画像信号を固定値にマスクすることが可能である。
【００２７】
＜制御装置の説明＞
制御装置１１０の機能を、図４に示すブロック図をもとに説明する。メインコントローラ１１１は、主にＣＰＵ１１２と、バスコントローラ１１３、各種Ｉ／Ｆコントローラ回路とから構成される。
【００２８】
ＣＰＵ１１２とバスコントローラ１１３は制御装置１１０全体の動作を制御するものであり、ＣＰＵ１１２はＲＯＭ１１４からＲＯＭ  Ｉ／Ｆ１１５を経由して読込んだプログラムに基いて動作する。また、ホストコンピュータから受信したＰＤＬ（ページ記述言語）コードデータを解釈し、ラスターイメージデータに展開する動作も、このプログラムに記述されており、ソフトウェアによって処理される。バスコントローラ１１３は各Ｉ／Ｆから入出力されるデータ転送を制御するものであり、バス競合時の調停やＤＭＡデータ転送の制御を行う。
【００２９】
ＤＲＡＭ１１６はＤＲＡＭＩ／Ｆ１１７によってメインコントローラ１１１と接続されており、ＣＰＵ１１２が動作するためのワークエリアや、画像データを蓄積するためのエリアとして使用される。
【００３０】
Ｃｏｄｅｃ１１８は、ＤＲＡＭ１１６に蓄積されたラスターイメージデータをＭＨ／ＭＲ／ＭＭＲ／ＪＢＩＧ／ＪＰＥＧ等の方式で圧縮し、また逆に圧縮され蓄積されたコードデータをラスターイメージデータに伸長する。ＳＲＡＭ１１９はＣｏｄｅｃ１１８の一時的なワーク領域として使用される。Ｃｏｄｅｃ１１８はＩ／Ｆ１２０を介してメインコントローラ１１１と接続され、ＤＲＡＭ１１６との間のデータの転送は、バスコントローラ１１３によって制御されＤＭＡ転送される。
【００３１】
Ｇｒａｐｈｉｃ  Ｐｒｏｃｅｓｓｏｒ１３５は、ＤＲＡＭ１１６に蓄積されたラスターイメージデータに対して、画像回転、画像変倍、色空間変換、二値化の処理をそれぞれ行う。ＳＲＡＭ１３６はＧｒａｐｈｉｃ  Ｐｒｏｃｅｓｓｏｒ１３５の一時的なワーク領域として使用される。Ｇｒａｐｈｉｃ  Ｐｒｏｃｅｓｓｏｒ１３５はＩ／Ｆ１３７を介してメインコントローラ１１１と接続され、ＤＲＡＭ１１６との間のデータの転送は、バスコントローラ１１３によって制御されＤＭＡ転送される。
【００３２】
Ｎｅｔｗｏｒｋ  Ｃｏｎｔｏｒｌｌｅｒ１２１はＩ／Ｆ１２２によってメインコントローラ１１１と接続され、コネクタ１２２によって外部ネットワークと接続される。ネットワークとしては一般的にイーサネット（登録商標）（Ｒ）があげられる。
【００３３】
汎用高速バス１２５には、拡張ボードを接続するための拡張コネクタ１２４とＩ／Ｏ制御部１２６とが接続される。汎用高速バスとしては、一般的にＰＣＩバスがあげられる。
【００３４】
Ｉ／Ｏ制御部１２６には、リーダー部２００、プリンタ部３００の各ＣＰＵと制御コマンドを送受信するための調歩同期シリアル通信コントローラ１２７が２チャンネル装備されており、Ｉ／Ｏバス１２８によって外部Ｉ／Ｆ回路１４０，１４５に接続されている。
【００３５】
パネルＩ／Ｆ１３２は、ＬＣＤコントローラ１３１に接続され、操作部１５０上の液晶画面に表示を行うためのＩ／Ｆと、ハードキーやタッチパネルキーの入力を行うためのキー入力Ｉ／Ｆ１３０とから構成される。
【００３６】
操作部１５０は液晶表示部と液晶表示部上に張り付けられたタッチパネル入力装置と、複数個のハードキーを有する。タッチパネルまたはハードキーにより入力された信号は前述したパネルＩ／Ｆ１３２を介してＣＰＵ１１２に伝えられ、液晶表示部はパネルＩ／Ｆ５２０から送られてきた画像データを表示するものである。液晶表示部には、本画像形成装置の操作における機能表示や画像データ等を表示する。
【００３７】
リアルタイムクロックモジュール１３３は、機器内で管理する日付と時刻を更新／保存するためのもので、バックアップ電池１３４によってバックアップされている。
【００３８】
Ｅ−ＩＤＥインタフェース１６１は、外部記憶装置を接続するためのものである。本実施形態においては、このＩ／Ｆを介してハードディスクドライブ１６０を接続し、ハードディスク１６２へ画像データを記憶させたり、ハードディスク１６２から画像データを読み込む動作を行う。
【００３９】
コネクタ１４２と１４７は、それぞれリーダー部２００とプリンタ部３００とに接続され、同調歩同期シリアルＩ／Ｆ（１４３，１４８）とビデオＩ／Ｆ（１４４，１４９）とから構成される。
【００４０】
スキャナＩ／Ｆ１４０は、コネクタ１４２を介してリーダー部２００と接続され、また、スキャナバス１４１によってメインコントローラ１１１と接続されており、リーダー部２００から受け取った画像に対して所定の処理を施す機能を有し、さらに、リーダー部２００から送られたビデオ制御信号をもとに生成した制御信号を、スキャナバス１４１に出力する機能も有する。
【００４１】
スキャナバス１４１からＤＲＡＭ１１６へのデータ転送は、バスコントローラ１１３によって制御される。
【００４２】
プリンタＩ／Ｆ１４５は、コネクタ１４７を介してプリンタ部３００と接続され、また、プリンタバス１４６によってメインコントローラ１１１と接続されており、メインコントローラ１１１から出力された画像データに所定の処理を施して、プリンタ部３００へ出力する機能を有し、さらに、プリンタ部３００から送られたビデオ制御信号をもとに生成した制御信号を、プリンタバス１４６に出力する機能も有する。
【００４３】
ＤＲＡＭ１１６上に展開されたラスターイメージデータのプリンタ部への転送は、バスコントローラ１１３によって制御され、プリンタバス１４６、ビデオＩ／Ｆ１４９を経由して、プリンタ部３００へＤＭＡ転送される。
【００４４】
＜スキャナＩ／Ｆの画像処理部の説明＞
スキャナＩ／Ｆ１４０の画像処理を担う部分についての詳細な説明を行う。図５はスキャナＩ／Ｆ１４０の画像処理を担う部分の詳細な構成を示すブロック図である。
【００４５】
リーダー部２００から、コネクタ１４２を介して送られる画像信号に対して、つなぎ＆ＭＴＦ補正部５０１で、ＣＣＤ２１８が３ラインＣＣＤの場合、つなぎ処理はライン間の読取位置が異なるため、読取速度に応じてライン毎の遅延量を調整し、３ラインの読取位置が同じになるように信号タイミングを補正し、ＭＴＦ補正は読取速度によって読取のＭＴＦが変るため、その変化を補正する。読取位置タイミングが補正されたデジタル信号は入力マスキング部５０２によって、ＣＣＤ２１８の分光特性及びランプ２１２及びミラー２１４、２１５、２１６の分光特性を補正する。入力マスキング部５０２の出力はＡＣＳカウント部５０３及びヒストグラムカウント部５０４およびメインコントローラ１１１へと送られる。
【００４６】
＜ＡＣＳカウント部及び、ヒストグラムカウント部の説明＞
ＡＣＳ（オートカラーセレクト）カウント部の説明を図６を用いて行う。オートカラーセレクト（以下ＡＣＳ）は、原稿がカラーなのか白黒なのかを判断する。つまり画素ごとの彩度を求めてある閾値以上の画素がどれだけ存在するかでカラー判定を行うものである。しかし、白黒原稿であっても、ＭＴＦ等の影響により、ミクロ的に見るとエッジ周辺に色画素が多数存在し、単純に画素単位でＡＣＳ判定を行うのは難しい。このＡＣＳ手法はさまざまな方法が提供されているが、本実施形態ではＡＣＳの方法にはこだわらない為、ごく一般的な手法で説明を行う。
【００４７】
前記したように、白黒画像でもミクロ的に見ると色画素が多数存在するわけであるから、その画素が本当に色画素であるかどうかは、注目画素に対して周辺の色画素の情報で判定する必要がある。６０１はそのためのフィルタであり、注目画素に対して周辺画素を参照する為にＦＩＦＯの構造をとる。６０２はメインコントローラ１１１からセットされた６０７〜６１０のレジスタに設定された値と、リーダー部２００から送られたビデオ制御信号６１２を元に、ＡＣＳをかける領域信号６０５を作成する回路である。６０３の色判定部は、ＡＣＳをかける領域信号６０５に基づき、注目画素に対して６０１のフィルタ内のメモリ内の周辺画素を参照し、注目画素が色画素か白黒画素かを決定する為の色判定部である。６０４は６０３の色判定部が出力した色判定信号の個数を数えるカウンタである。
【００４８】
メインコントローラ１１１は読み込み範囲に対してＡＣＳをかける領域を決定し、６０７〜６１０のレジスタに設定する（本実施形態では、原稿に対して独立で範囲を決める構成をとる）。また、メインコントローラ１１１はＡＣＳをかける領域内での色判定信号の個数を計数するカウンタの値を、所定の閾値と比較し、当該原稿がカラーなのか白黒なのかを判断する。
【００４９】
６０７〜６１０のレジスタには、主走査方向、副走査方向それぞれについて、色判定部６０３が判定を開始する位置、判定を終了する位置を、リーダー部２００から送られたビデオ制御信号６１２に基づいて設定しておく。本実施形態では、実際の原稿の大きさよりもそれぞれ１０ｍｍ程度小さめに設定している。
【００５０】
ヒストグラムカウント部６１３は、指定された矩形領域内の画素を離散的にサンプリングし、サンプリングした画素の有する輝度レベルを発現度数として計数する事により、下地レベル判定用のヒストグラムを生成する。
【００５１】
ソフトウェアの設定に従い、原稿画像の読み取り動作中に、主走査方向及び副走査方向それぞれの開始点及び終了点で囲まれた矩形領域内の画素データ（Ｒ、Ｇ 、Ｂ 、及びこれらから合 成するＮＤ の４ 種類）を主走査方向及び副走査方向に一定のピッチでサンプリングし、その 輝度レベルの発現度数を計数して４つ（Ｒ ，Ｇ ，Ｂ ，ＮＤ ）のヒストグラムを作成する。
【００５２】
＜プリンタＩ／Ｆの画像処理部の説明＞
プリンタＩ／Ｆ１４５の画像処理を担う部分についての詳細な説明を行う。図７はプリンタＩ／Ｆ１４５の画像処理を担う部分の詳細な構成を示すブロック図である。
【００５３】
メインコントローラ１１１から、プリンタバス１４６を介して送られる画像信号は、まず下地飛ばし部７０６に入力される。下地飛ばし部７０６（非線形下地除去部）では、ヒストグラムカウント部６１３により取得されたヒストグラムから計算された下地レベルか、またはUIにより設定された下地レベルに対応して、適切な下地を飛ばすための演算を実行して入力ＲＧＢ 値（各８ ビット）を出力Ｒ ’Ｇ ’Ｂ ’（各８ ビット）に変換する。Ｒ 、Ｇ 、Ｂ をスルー出力するか否かをページ全体、または像域フラグにより画素単位で選択できるようにする。
【００５４】
画像信号は次にＬＯＧ変換部７０１に入力される。ＬＯＧ変換部７０１では、ＬＯＧ変換でＲＧＢ信号からＣＭＹ信号に変換する。次にモアレ除去部７０２でモアレが除去される。７０３はＵＣＲ＆マスキング部で、モアレ除去処理されたＣＭＹ信号はＵＣＲ処理でＣＭＹＫ信号が生成され、マスキング処理部でプリンタの出力にあった信号に補正される。ＵＣＲ＆マスキング部７０３で処理された信号はγ補正部７０４で濃度調整された後フィルタ部７０５でスムージング又はエッジ処理される。これらの処理を経て、コネクタ１４７を介してプリンタ部３００へと画像が送られる。
【００５５】
＜Ｇｒａｐｈｉｃ  Ｐｒｏｃｅｓｓｏｒの説明＞
Ｇｒａｐｈｉｃ  Ｐｒｏｃｅｓｓｏｒ１３５についての詳細な説明を行う。図８はＧｒａｐｈｉｃ  Ｐｒｏｃｅｓｓｏｒ１３５の詳細な構成を示すブロック図である。
【００５６】
Ｇｒａｐｈｉｃ  Ｐｒｏｃｅｓｓｏｒ１３５は、画像回転、画像変倍、色空間変換、二値化の処理をそれぞれ行うモジュールを有する。ＳＲＡＭ１３６はＧｒａｐｈｉｃ  Ｐｒｏｃｅｓｓｏｒ１３５の各々のモジュールの一時的なワーク領域として使用される。各々のモジュールが用いるＳＲＡＭ１３６のワーク領域が競合しないよう、あらかじめ各々のモジュールごとにワーク領域が静的に割り当てられているものとする。Ｇｒａｐｈｉｃ  Ｐｒｏｃｅｓｓｏｒ１３５はＩ／Ｆ１３７を介してメインコントローラ１１１と接続され、ＤＲＡＭ１１６との間のデータの転送は、バスコントローラ１１３によって制御されＤＭＡ転送される。
【００５７】
バスコントローラ１１３は、ＧｒａｐｈｉｃＰｒｏｃｅｓｓｏｒ１３５の各々のモジュールにモード等を設定する制御及び、各々のモジュールに画像データを転送するためのタイミング制御を行う。
【００５８】
＜画像回転部の説明＞
以下に画像回転部８０１における処理手順を示す。Ｉ／Ｆ１３７を介して、ＣＰＵ１１２からバスコントローラ１１３に画像回転制御のための設定を行う。この設定によりバスコントローラ１１３は画像回転部８０１に対して画像回転に必要な設定（例えば画像サイズや回転方向・角度等）を行う。必要な設定を行った後に、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。尚、ここでは回転を行う画像サイズを３２画素×３２ラインとし、又、画像バス２００８上に画像データを転送させる際に２４ｂｙｔｅ（ＲＧＢ各々８ｂｉｔで１画素分）を単位とする画像転送を行うものとする。
【００５９】
上述のように、３２画素×３２ラインの画像を得るためには、上述の単位データ転送を３２×３２回行う必要があり、且つ不連続なアドレスから画像データを転送する必要がある。（図９参照）
不連続アドレッシングにより転送された画像データは、読み出し時に所望の角度に回転されているように、ＳＲＡＭ１３６に書き込まれる。例えば、９０度反時計方向回転であれば、転送される画像データを、図１０のようにＹ方向に書き込んでいく。読み出し時にＸ方向に読み出すことで、画像が回転される。
【００６０】
３２画素×３２ラインの画像回転（ＳＲＡＭ１３６への書き込み）が完了した後、画像回転部８０１はＳＲＡＭ１３６から上述した読み出し方法で画像データを読み出し、バスコントローラ１１３に画像を転送する。
【００６１】
回転処理された画像データを受け取ったバスコントローラ１１３は、連続アドレッシングを以て、ＤＲＡＭ１１６もしくはＩ／Ｆ上の各デバイスにデータを転送する。
【００６２】
こうした一連の処理は、ＣＰＵ１１２からの処理要求が無くなるまで（必要なページ数の処理が終わったとき）繰り返される。
【００６３】
＜画像変倍部の説明＞
以下に画像変倍部８０２における処理手順を示す。Ｉ／Ｆ１３７を介して、ＣＰＵ１１２からバスコントローラ１１３に画像変倍制御のための設定を行う。この設定によりバスコントローラ１１３は画像変倍部８０２に対して画像変倍に必要な設定（主走査方向の変倍率、副走査方向の変倍率、変倍後の画像サイズ等）を行う。必要な設定を行った後に、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。
【００６４】
画像変倍部８０２は、受け取った画像データを一時ＳＲＡＭ１３６に格納し、これを入力バッファとして用いて、格納したデータに対して主走査、副走査の変倍率に応じて必要な画素数、ライン数の分の補間処理を行って画像を拡大もしくは縮小することで、変倍処理とする。変倍後のデータは再度ＳＲＡＭ１３６へ書き戻し、これを出力バッファとして画像変倍部８０２はＳＲＡＭ１３６から画像データを読み出し、バスコントローラ１１３に転送する。
【００６５】
変倍処理された画像データを受け取ったバスコントローラ１１３は、ＤＲＡＭ１１６もしくはＩ／Ｆ上の各デバイスにデータを転送する。
【００６６】
＜色空間変換部の説明＞
以下に色空間変換部８０３における処理手順を示す。Ｉ／Ｆ１３７を介して、ＣＰＵ１１２からバスコントローラ１１３に色空間変換制御のための設定を行う。この設定によりバスコントローラ１１３は色空間変換部８０３およびＬＵＴ（ルック・アップ・テーブル）８０４に対して色空間変換処理に必要な設定（後述のマトリックス演算の係数、ＬＵＴ８０４のテーブル値等）を行う。必要な設定を行った後に、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。
【００６７】
色空間変換部８０３は、受け取った画像データ１画素ごとに対して、まず下記の式で表される３×３のマトリックス演算を施す。
【００６８】
【数１】
2008153763.tif 000003
【００６９】
上式において、Ｒ、Ｇ、Ｂが入力、Ｘ、Ｙ、Ｚが出力、ａ１１、ａ１２、ａ１３、ａ２１、ａ２２、ａ２３、ａ３１、ａ３２、ａ３３、ｂ１、ｂ２、ｂ３、ｃ１、ｃ２、ｃ３がそれぞれ係数である。
【００７０】
上式の演算によって、例えばＲＧＢ色空間からＹｕｖ色空間への変換など、各種の色空間変換を行うことができる。
【００７１】
次に、マトリックス演算後のデータに対して、ＬＵＴ８０４による変換を行う。これによって、非線形の変換をも行うことができる。当然、スルーのテーブルを設定することにより、実質的にＬＵＴ変換を行わないこともできる。
【００７２】
その後、色空間変換部８０３は色空間変換処理された画像データをバスコントローラ１１３に転送する。
【００７３】
色空間変換処理された画像データを受け取ったバスコントローラ１１３は、ＤＲＡＭ１１６もしくはＩ／Ｆ上の各デバイスにデータを転送する。
【００７４】
＜画像二値化部の説明＞
以下に画像二値化部８０５における処理手順を示す。Ｉ／Ｆ１３７を介して、ＣＰＵ１１２からバスコントローラ１１３に二値化制御のための設定を行う。この設定によりバスコントローラ１１３は画像二値化部８０５に対して二値化処理に必要な設定（変換方法に応じた各種パラメータ等）を行う。必要な設定を行った後に、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。
【００７５】
画像二値化部８０５は、受け取った画像データに対して二値化処理を施す。本実施形態では、二値化の手法としては、画像データを所定の閾値と比較して単純に二値化するものとする。もちろん、ディザ法、誤差拡散法、誤差拡散法を改良したものなど、いずれの手法によってもかまわない。
【００７６】
その後、画像二値化部８０５は二値化処理された画像データをバスコントローラ１１３に転送する。二値化処理された画像データを受け取ったバスコントローラ１１３は、ＤＲＡＭ１１６もしくはＩ／Ｆ上の各デバイスにデータを転送する。
【００７７】
＜ＰＤＬ画像出力時のシーケンス＞
図１１は、本実施形態におけるＰＤＬ画像出力の手順を示すフローチャートである。なお、図中のＳ１１０１〜Ｓ１１０９は各ステップを示す。
【００７８】
ＰＤＬ画像を出力する場合、Ｓ１１０１では、ＰＣ４０１上でユーザーが当該ＰＤＬ画像出力ジョブのプリント設定を行う。プリント設定内容は、部数、用紙サイズ、片面／両面、ページ出力順序、ソート出力、ステイプル止めの有無等である。ここで、タブシート印刷を実行する場合、タブシートモードを設定する。
【００７９】
Ｓ１１０２では、ＰＣ４０１上で印刷指示を与え、それと共にＰＣ４０１上にインストールされているドライバソフトウェアが、印刷対象となるＰＣ４０１上のコードデータをいわゆるＰＤＬデータに変換して、Ｓ１１０１で設定したプリント設定パラメータとともに、本画像入出力装置の制御装置１１０に、ネットワーク４００を介してＰＤＬデータを転送する。
【００８０】
Ｓ１１０３では、制御装置１１０のメインコントローラ１１１のＣＰＵ１１２が、コネクタ１２２およびＮｅｔｗｏｒｋＣｏｎｔｒｏｌｌｅｒ１２１を介して転送されたＰＤＬデータを前記プリント設定パラメータに基づいて、画像データに展開（ラスタライズ）する。画像データの展開は、ＤＲＡＭ１１６上に行われる。画像データの展開が完了するとＳ１１０４へ進む。
【００８１】
Ｓ１１０４では、メインコントローラ１１１がＤＲＡＭ１１６上に展開された画像データを、Ｇｒａｐｈｉｃ  Ｐｒｏｃｅｓｓｏｒ１３５に転送する。
【００８２】
Ｓ１１０５では、Ｇｒａｐｈｉｃ  Ｐｒｏｃｅｓｓｏｒ１３５が、前記プリント設定パラメータとは独立に、画像処理を行う。例えば、前記プリント設定パラメータで指定された用紙サイズがＡ４であるにもかかわらず、プリンタ部３００の給紙ユニット３６０にはＡ４Ｒ用紙しかない場合には、Ｇｒａｐｈｉｃ  Ｐｒｏｃｅｓｓｏｒ１３５で画像を９０度回転することによって、出力用紙にあわせた画像出力を行うことができる。画像データの画像処理が完了するとＳ１１０６へ進む。
【００８３】
Ｓ１１０６では、Ｇｒａｐｈｉｃ  Ｐｒｏｃｅｓｓｏｒ１３５がメインコントローラ１１１へ画像処理後の画像データを転送する。メインコントローラ１１１は転送されてきた画像データをＤＲＡＭ１１６上に記憶する。
【００８４】
Ｓ１１０７では、ステップＳ１１０１での設定に基づき、印刷モードがタブシートモードに設定されているか否かを判断する。
【００８５】
ステップＳ１１０７で、タブシートモードでないと判断された場合、ステップＳ１１０８へ進み、Ｓ１１０８では、メインコントローラ１１１はプリンタＩ／Ｆ１４５およびコネクタ１４７を介して、プリンタ部３００を制御しつつ、適切なタイミングでＤＲＡＭ１１６上の画像データを、プリンタ部３００へと転送する。
【００８６】
Ｓ１１０９では、制御装置１１０が、プリンタ部３００を制御して画像データをプリント出力する。画像データの転送が完了すると、すなわち当該ＰＤＬジョブが終了すると、プリント出力を終了する。
【００８７】
一方、ステップＳ１１０７で、タブシートモードであると判断された場合、ステップ１１１０に進み、図１７を用いてタブシートイメージをＤＲＡＭ上に形成する。
【００８８】
そして、ステップＳ１１０８へ進み、ＤＲＡＭからプリンタへ生成した画像データを転送し、ステップＳ１１０９において、予め設定されているタブシートに画像をプリントし、処理を終了する。
【００８９】
＜コピー画像出力時のシーケンス＞
図１２は、本実施形態におけるコピー画像出力の手順を示すフローチャートである。なお、図中のＳ１２０１〜Ｓ１２０８は各ステップを示す。
【００９０】
コピー画像を出力する場合、Ｓ１２０１では、操作部１５０上でユーザーが当該コピー画像出力ジョブのコピー設定を行う。コピー設定内容は、部数、用紙サイズ、片面／両面、拡大／縮小率、ソート出力、ステイプル止めの有無等である。なお、ここで、タブシート印刷を実行する場合、タブシートモードを設定する。
【００９１】
Ｓ１２０２では、操作部１５０上でコピー開始指示を与えると、制御装置１１０のメインコントローラ１１１はスキャナＩ／Ｆ１４０およびコネクタ１４２を介してリーダー部２００を制御し、原稿の画像データの読み込み動作を行う。まず、原稿給送ユニット２５０は、載置された原稿を１枚ずつプラテンガラス２１１上へ給送し、その際同時に原稿のサイズを検知する。検知された原稿のサイズに基づいて原稿を露光走査することにより、画像データを読み取るわけである。読み取られた画像データはＤＲＡＭ１１６上に記憶される。従来のコピー機では、前記コピー設定の拡大／縮小率の設定に応じて、すなわち副走査方向の変倍率に応じて光学ユニット２１３の移動速度を変化させることにより副走査方向の変倍処理を実現していた。しかしながら、本実施形態では、前記コピー設定の拡大／縮小率の設定にかかわらず、必ず等倍（１００％）で画像データを読み取り、変倍処理については、主走査方向、副走査方向ともに、後述するＧｒａｐｈｉｃ  Ｐｒｏｃｅｓｓｏｒ１３５によって行うものとする。
【００９２】
Ｓ１２０３では、メインコントローラ１１１がＤＲＡＭ１１６上の画像データ
を、Ｇｒａｐｈｉｃ  Ｐｒｏｃｅｓｓｏｒ１３５に転送する。
【００９３】
Ｓ１２０４では、Ｇｒａｐｈｉｃ  Ｐｒｏｃｅｓｓｏｒ１３５が、前記コピー設定パラメータに基づいて画像処理を行う。例えば、拡大４００％の設定がなされているときには、Ｇｒａｐｈｉｃ  Ｐｒｏｃｅｓｓｏｒ１３５内のモジュールである画像変倍部を用いて主走査方向、副走査方向、双方への変倍処理を行う。画像データの画像処理が完了するとＳ１２０５へ進む。
【００９４】
Ｓ１２０５では、Ｇｒａｐｈｉｃ  Ｐｒｏｃｅｓｓｏｒ１３５がメインコントローラ１１１へ画像処理後の画像データを転送する。メインコントローラ１１１は転送されてきた画像データをＤＲＡＭ１１６上に記憶する。
【００９５】
Ｓ１２０６では、ステップＳ１２０１での設定に基づき、印刷モードがタブシートモードに設定されているか否かを判断する。
【００９６】
ステップＳ１２０６で、タブシートモードでないと判断された場合、ステップＳ１２０７へ進み、Ｓ１２０７では、メインコントローラ１１１はプリンタＩ／Ｆ１４５およびコネクタ１４７を介して、プリンタ部３００を制御しつつ、適切なタイミングでＤＲＡＭ１１６上の画像データを、プリンタ部３００へと転送する。
【００９７】
Ｓ１２０８では、制御装置１１０が、プリンタ部３００を制御して画像データをプリント出力する。画像データの転送が完了すると、すなわち当該コピージョブが終了すると、プリント出力を終了する。
【００９８】
一方、ステップＳ１２０６で、タブシートモードであると判断された場合、ステップ１１１０に進み、図１７を用いてタブシートイメージをＤＲＡＭ上に形成する。
【００９９】
そして、ステップＳ１２０８へ進み、ＤＲＡＭからプリンタへ生成した画像データを転送し、ステップＳ１２０８において、予め設定されているタブシートに画像をプリントし、処理を終了する。
【０１００】
＜画像パケット構造の実施形態＞
図１３は、本実施形態のパケット構造を示す図である。１パケットは３２×３２画素の１タイル分の画像データを収容するデータ本体１０と、ヘッダ１２からなる。ヘッダ１２は、パケットのシリアル番号を示すパケットＩＤ１４、データ本体１０に収容される画像データが圧縮されているか否かを示す圧縮フラグ１６、及び、データ本体１０に収容される画像データ量を示す画像データ長１８を具備する。本実施形態では、パケットＩＤ１４は１バイト、圧縮フラグ１６は１ビット、データ長１８は２バイトである。パケットヘッダには上記以外に、圧縮方式を示すフラグ、像域判定のフラグ、ＡＣＳ判定の結果、色空間情報など、任意の情報を含めることができる。
【０１０１】
図１４は、１ページの画像データを３２画素×３２画素からなるタイルに分割した様子を示す。１タイルの画像データが、図１４に示すように１つのパケットに収容される。１タイルは３２×３２画素でなくても良く、例えば、６４×６４画素でも良いし、更には、正方形でなく矩形などでも良い。１タイルが３２画素×３２画素の場合、例えば、Ａ４を６００ｄｐｉの解像度では、タイル数は、２２０×１５６＝３４３２０になり、Ａ３を１２００ｄｐｉの解像度では、タイル数は４４０×６２４＝２７４，５６０になる。
【０１０２】
本実施形態では、画像データを圧縮する場合に、１ページ分をまとめて圧縮するのではなく、パケット単位、即ち、タイル単位で画像データを圧縮するか否かを決定する。圧縮後のデータ量が圧縮前のデータ量よりも多くなる場合には、圧縮しない。
【０１０３】
本実施形態のパケットは、ヘッダ１２に圧縮フラグ１６を具備するので、データ本体１０に圧縮画像データが収容されたか非圧縮の画像データが収容されたかを圧縮フラグ１６で識別できる。圧縮画像データをデータ本体１０に収容した場合には、圧縮フラグに’１’をセットし、データ本体１０に非圧縮画像データを収容した場合には、圧縮フラグに’０’をセットする。１ページ中には、圧縮画像データを持つパケットと、非圧縮画像データを持つパケットが混在する。
【０１０４】
例えば、１ページのプレーンな画像データがあり、これを圧縮する場合に、本実施形態の画像データフォーマットの形式を採用したとする。先ず、ページ画像データを図１４に示すようにタイルに分割する。このタイル毎の画像データを、例えばＪＰＥＧ方式などで圧縮する。圧縮方法は、別の方法でも良い。圧縮の結果、元の画像データ量よりもデータ量が少なくなったときには、圧縮画像データをパケットのデータ本体１０に収容し、そのデータ量をヘッダ１２のデータ長１８に格納し、圧縮フラグ１６に‘１’をセットする。逆に、圧縮の結果、元の画像データ量よりもデータ量が多くなったときには、非圧縮の画像データをパケットのデータ本体１０に収容し、そのデータ量をヘッダ１２のデータ長１８に格納し、圧縮フラグ１６に‘０’をセットする。
【０１０５】
このようにして、各タイルについてデータの圧縮とパケット化を繰り返し、１ページのデータを作成する。このようにして出来た１ページ分のデータは、各パケットのデータ本体１０について元の画像データ量を超えないことを保証できる。ヘッダ１２のデータ量は固定（４バイト）なので、１ページの総データ量の最大値は、（１タイルの非圧縮の画像データ量＋ヘッダのデータ量４Ｂｙｔｅ）×（１ページのタイル数）で計算される。
【０１０６】
圧縮／非圧縮のパケットが混在しているページ画像データを伸長して非圧縮の画像データを復元する場合には、各パケットのヘッダ１２の圧縮フラグ１６を参照し、それが‘１’であるパケットに収容されるデータのみを伸長すればよい。
【０１０７】
このように、本実施形態では、１タイル分の非圧縮画像データを一時保持すれば済むので、そのためのメモリ容量は小さくて済む。そのタイルの画像データの圧縮が終了し、そのタイルのパケットを生成した後は、そのタイルの画像データを消去しても構わない。つまり、１タイルの画像データを圧縮しパケット化する毎に、そのタイルの原画像データを消去できる。これにより、圧縮の際に必要となるメモリの作業領域は、１タイル分の画像データの容量があれば良いことになる。
【０１０８】
図１５は、本実施形態におけるパケットデータ生成に係る構成を説明するブロック図である。メモリ１１６を除く図１５の処理ブロックは、図４に示すメインコントローラ１１１に含まれる。１１２はＣＰＵ、２２はメモリ制御回路であり、１１６はメモリ（ＤＲＡＭ）である。３４は、ＣＰＵ２０、メモリ制御回路２２及びＤＭＡ制御回路３２を接続するシステムバスである。
【０１０９】
２６は処理すべき画像データが入力する入力端子、２８は入力端子２６に入力した画像データを、図１３及び図１４を参照して説明したパケットに成形するパケット生成回路である。パケット生成回路２８は、タイル単位で画像データを圧縮する画像圧縮回路を具備する。３０は、画像圧縮前後の画像データを一時記憶するバッファである。３２は、パケット生成回路２８の出力パケットをＤＭＡ（Ｄｉｒｅｃｔ  Ｍｅｍｏｒｙ  Ａｃｃｅｓｓ）方式で、メモリ制御回路２２を介してメモリ２４に転送するＤＭＡ制御回路である。
【０１１０】
基本的なデータの流れを説明する。スキャナＩ／Ｆ１４０等から入力された画像データが、３２画素×３２画素のタイル単位で入力端子２６に入力する。パケット生成回路２８は、タイル単位で画像データを圧縮し、非圧縮画像データと圧縮画像データとを比較し、少ないデータ量の方をデータ本体１０に収容し、ヘッダ１２の圧縮フラグ１６に‘０’又は‘１’をセットし、図１３に示すパケットのフォーマットでＤＭＡ制御回路３２に出力する。ＤＭＡ制御回路３２は、パケット生成回路２８からのパケット・データを、システム・バス３４及びメモリ制御回路２２を介してメモリ２４に書き込む。
【０１１１】
図１６は、パケット生成回路２８の概略構成ブロック図を示す。圧縮回路４０は、入力端子２６からのタイル単位の画像データをバッファ３０に格納すると共に圧縮して圧縮画像データもバッファ３０に格納し、非圧縮画像データと圧縮画像データとを比較して、少ないデータ量の方を出力する。すなわち、圧縮後の画像データ量が圧縮前の画像データ量よりも少ない場合には、圧縮回路４０は、圧縮画像データをマージ回路４４に出力すると共に、ヘッダ生成回路４２に、マージ回路４４に出力したデータが圧縮データであること及びそのデータ量を通知する。逆に、圧縮後の画像データ量が圧縮前の画像データ量よりも多い場合には、圧縮回路４０は、圧縮前の画像データをマージ回路４４に出力すると共に、ヘッダ生成回路４２に、マージ回路４４に出力したデータが非圧縮データであること及びそのデータ量を通知する。
【０１１２】
ヘッダ生成回路４２は、パケットＩＤ１４を順にインクリメントし、画像データ長１８にデータ量をセットし、圧縮フラグ１６については、圧縮回路４０がマージ回路４４に非圧縮データを出力するときには、‘０’をセットし、圧縮回路４０がマージ回路４４に圧縮画像データを出力するときには、‘１’をセットする。そして、ヘッダ生成回路４２は、このように生成したヘッダ情報をマージ回路４４に出力する。
【０１１３】
マージ回路４４は、ヘッダ生成回路４２からのヘッダと圧縮回路４０からのデータとをマージして、図１３に示すフォーマットのパケットを生成する。生成されたパケットは、ＤＭＡ制御回路３２に送られる。
【０１１４】
ＤＭＡ制御回路３２は、パケットデータを格納するアドレスを示すパケットアドレスレジスタを具備する。ＤＭＡ制御回路３２は、パケット生成回路２８（のマージ回路４４）からのパケットを、パケットアドレスレジスタで示されるメモリ１１６のアドレスへ書き込む。パケットアドレスレジスタは、記憶値をパケット容量分だけ加算して更新する。その後、ＤＭＡ制御回路３２は、次のパケットをパケット生成回路２８から受け取る。
【０１１５】
図１７は、パケットデータとパケットテーブルの関係を示している。図中、１７００は各パケットのメモリ上での開始アドレス１７０１を示すパケットテーブル、１７０２はリピートフラグであり、ひとつ前のパケットとデータが同じ場合にフラグがＯＮになり、異なる場合にはＯＦＦに設定される。また、１７１０はメモリに格納されているパケットデータ領域であり、図示の如く模式的に示した。パケット１７１１とテーブル上のアドレスとは１対１で対応しており、パケット１７１２とテーブル上のアドレスとは、リピートフラグを用いることにより１対２で対応している。
【０１１６】
＜色マスク出力の実施形態＞
図１８は、本実施形態における色マスクモードのフローチャートである。調整モードを開始すると１８０１、ＨＤＤなどの画像記憶領域から調整用パターンを読み出し１８０２、該調整がマスクモードを使用する場合１８０３、該当調整用のマスク色を取得する１８０４、取得先は予めＲＯＭに焼かれているか、または画像データにメタデータとして埋め込まれているデータ、またはＳＲＡＭ等の記憶領域に動的に切り替えられることも考えられる。例えばレジ調整の場合は、マゼンタとイエローをマスクするという情報を取得する。
【０１１７】
ここで上記取得したマスク色で、調整パターンをマスクする設定を行う１８０５マスク方法としては、画像データにおける該当コンポーネントの濃度を直接０に置き換える方法や、図７に示したプリンタＩ／Ｆ１４５内のカラーバランス、ダイレクトマッピング等の画像処理ＡＳＩＣの設定によって、該当色をマスクする。
【０１１８】
上記のようにマスクされた画像データをプリントすることで１８０６、例えばレジ調整の場合は、画像データのブラックとシアンによって描かれたイメージのみ出力されるようになる。
【０１１９】
出力後、次のイメージの出力を行う１８０７。
【０１２０】
図１９は、本実施形態における両面調整時色マスクモードのフローチャートである。
【０１２１】
調整モードを開始すると１９０１、ＨＤＤなどの画像記憶領域から調整用パターンを読み出し１９０２、該調整が両面調整モードである場合１９０３、両面調整モードに切り替わり１９０４、印刷するページが裏面の場合は１９０５、裏面用のマスク色を取得し１９０６、印刷するページが表面の場合は、表面用のマスク色を取得する１９０７。
【０１２２】
ここで上記取得したマスク色で、調整パターンをマスクする設定を行う１９０８上記のようにマスクされた画像データをプリントすることで１９０９、例えば調整パターンに表面を示す文字列がマゼンタで描画されている場合に、裏面のみマゼンタをマスクすることで、同一の画像にて表面裏面を区別することが可能となる。出力後、次のページの出力を行う１９１０。
【０１２３】
図２０は、本実施形態における調整制御のフローチャートである。
【０１２４】
図２０を用いて本発明における調整処理のフローについて説明する。
【０１２５】
給紙段を指定してＵＩにおいて調整モードに入ると２００１、選択した調整用のテストパターンを出力する２００２。
【０１２６】
斜行調整２００３を行う場合、斜行調整用のテストパターンを出力し、出力された画像を確認して、実際の出力結果を見ながら、斜送部のダイヤルを調整する２００５。
【０１２７】
左端余白の調整２００６を行う場合、余白調整用のテストパターンを出力し、出力された画像を確認して、ＵＩ上に補正値を入力し２００７、入力結果に応じて画像の位置をシフトする２００８。
【０１２８】
先端余白の調整２００９を行う場合、余白調整用のテストパターンを出力し、出力された画像を確認して、ＵＩ上に補正値を入力し２０１０、入力結果に応じて画像の位置をシフトする２０１１。
【０１２９】
図２１は、本実施形態における色マスクのイメージ図である。
【０１３０】
メモリ上の画像パターン２１０１には、レジ調整に使用する画像がマゼンタで描画されている。また、表面を認識する文字列がシアンで描画されている。
【０１３１】
ここで、表面を印字する場合、色をマスクせずにそのまま出力を行うことで、表面用の調整用画像が出力される２１０２。
【０１３２】
また、裏面を印字する場合、シアンをマスクして出力することで、２１０１中に描画されている「オモテ」という文字列がマスクされ、裏面調整用の画像が描画される。
【０１３３】
このとき、メモリ上の画像パターン２１０１にブラックで「ウラ」と描画し、表面を印字する場合に、ブラックをマスクすることで、表面では「オモテ」、裏面では「ウラ」と描画される。
【０１３４】
（他の実施形態）
上記実施形態においては、本発明をデジタル複合機において適用した例で説明したが、これに限るものではなく、本発明は、例えば、スキャナでスキャンした画像を送信する場合の、ファクシミリ装置、プリンタ等他の画像形成装置における印刷においても適用可能であることは言うまでも無い。さらに画像形成装置に限らず、例えば、パーソナルコンピュータ上のプリンタドライバや、画像処理ソフトウェアにおいて、本発明を適用してもよい。
【０１３５】
また、本発明は、前述した実施の形態の機能を実現するソフトウェアのプログラムコードを記憶した記憶媒体をシステムあるいは装置に供給し、そのシステムあるいは装置のコンピュータ（またはＣＰＵやＭＰＵ）が記憶媒体（例えば上述した本実施の形態におけるＲＡＭ３１）に格納されたプログラムコードを読み出し実行することによっても、完成されることは言うまでもない。
【０１３６】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【０１３７】
さらに、記憶媒体から読み出されたプログラムコードが、コンピュータに挿入された機能拡張ボードやコンピュータに接続された機能拡張ユニットに備わるメモリに書きもまれた後、次のプログラムコードの指示に基づき、その拡張機能を拡張ボードや拡張ユニットに備わるＣＰＵなどが処理を行って実際の処理の一部または全部を行い、その処理によって前述した実施形態の機能が実現される場合も含まれることは言うまでもない。
【０１３８】
また、このような記憶媒体を含む装置をネットワーク上に配置させておき、記憶媒体に記憶されたプログラムをネットワークを介して所定の装置へダウンロードし、ダウンロードしたプログラムを実行することによっても、本発明の上記実施形態の機能が実現されることは言うまでもない。
【図面の簡単な説明】
【０１３９】
【図１】本実施形態に係る画像入出力システムの全体構成を説明するための図である。
【図２】リーダー部２００及びプリンタ部３００の概観図である。
【図３】リーダー画像処理部２２２の詳細な構成を示すブロック図である。
【図４】制御装置１１０の機能を、図４に示すブロック図をもとに説明する。
【図５】スキャナＩ／Ｆ１４０の画像処理を担う部分の詳細な構成を示すブロック図である。
【図６】ＡＣＳ（オートカラーセレクト）カウント部を説明する図である。
【図７】プリンタＩ／Ｆ１４５の画像処理を担う部分の詳細な構成を示すブロック図である。
【図８】Ｇｒａｐｈｉｃ  Ｐｒｏｃｅｓｓｏｒ１３５の詳細な構成を示すブロック図である。
【図９】タイル画像のアドレスを説明するための図である。
【図１０】回転処理を説明するための図である。
【図１１】本実施形態におけるＰＤＬ画像出力の手順を示すフローチャートである。
【図１２】本実施形態におけるコピー画像出力の手順を示すフローチャートである。
【図１３】本実施形態のパケット構造を示す図である。
【図１４】１ページの画像データを３２画素×３２画素からなるタイルに分割した様子を示す図である。
【図１５】本実施形態におけるパケットデータ生成に係る構成を説明するブロック図である。
【図１６】パケット生成回路２８の概略構成を示すブロック図である。
【図１７】パケットデータとパケットテーブルの関係を示す図である。
【図１８】本実施形態における色マスクモードのフローチャートである。
【図１９】本実施形態における両面調整時色マスクモードのフローチャートである。
【図２０】本実施形態における調整制御のフローチャートである。
【図２１】本実施形態における色マスクのイメージ図である。
【符号の説明】
【０１４０】
１１０  コントローラ
１１２  ＣＰＵ
１１６  ＤＲＡＭ
１３５  Ｇｒａｐｈｉｃ  Ｐｒｏｃｅｓｓｏｒ
２００  リーダー装置
３００  プリンタ装置
【図１】
2008153763.tif 000004
【図２】
2008153763.tif 000005
【図３】
2008153763.tif 000006
【図４】
2008153763.tif 000007
【図５】
2008153763.tif 000008
【図６】
2008153763.tif 000009
【図７】
2008153763.tif 000010
【図８】
2008153763.tif 000011
【図９】
2008153763.tif 000012
【図１０】
2008153763.tif 000013
【図１１】
2008153763.tif 000014
【図１２】
2008153763.tif 000015
【図１３】
2008153763.tif 000016
【図１４】
2008153763.tif 000017
【図１５】
2008153763.tif 000018
【図１６】
2008153763.tif 000019
【図１７】
2008153763.tif 000020
【図１８】
2008153763.tif 000021
【図１９】
2008153763.tif 000022
【図２０】
2008153763.tif 000023
【図２１】
2008153763.tif 000024